(57)【要約】【課題】ロック及び解除は簡単で迅速、操作は便利で安全、工具は不要、部品構造が簡易であるスライドレールのロック及び解除装置を提供する。【解決手段】弾性制御部品１、ボタン２、及び取付台３とにより構成される。弾性制御部品は、第一端１１、第二端１２及び制御部１３とを有し、第一端は可動レール４に固定され、制御部１３によって固定部は押圧制止される。ボタン２には固定孔２１が設けられる。取付台３は、可動レールの前端に固定され、滑動するボタンが入る嵌合室３２が設置され、ボタンに相対する固定孔には開口３３が設けられている。弾性制御部品の第二端は開口を通過してボタンの固定孔に固定される。【選択図】図１
0003129302.tif 000002
【実用新案登録請求の範囲】
【請求項１】
弾性制御部品、ボタン、及び取付台を備えるスライドレールのロック及び解除装置において、
前記弾性制御部品は、相対する第一端、第二端及び制御部とを有し、第一端はスライドレールの可動レールに固定され、制御部によって固定部は押圧制止され、スライドレールの可動レールは制限され相対する固定レールの延伸を制限し、
前記ボタンは、固定孔が設けられ、
前記取付台は、可動レールの前端に固定され、滑動するボタンが入る嵌合室が設置され、ボタンに相対する固定孔には開口が設けられ、
弾性制御部品の第二端は開口を通過してボタンの固定孔に固定されることを特徴とするスライドレールのロック及び解除装置。
【請求項２】
前記制御部は突出形状であり、傾斜制止面と垂直制止面とを有し、垂直制止面によって固定部が押圧制止されることを特徴とする請求項１に記載のスライドレールのロック及び解除装置。
【請求項３】
前記制御部は穴型であることを特徴とする請求項１に記載のスライドレールのロック及び解除装置。
【請求項４】
前記固定部は固定レール上の突出体であることを特徴とする請求項１に記載のスライドレールのロック及び解除装置。
【請求項５】
前記固定部は固定レール上の開孔であることを特徴とする請求項１に記載のスライドレールのロック及び解除装置。
【請求項６】
前記固定部はサポート架台の突出片であり、前記サポート架台はスライドレールの固定レールに連結されることを特徴とする請求項１に記載のスライドレールのロック及び解除装置。
【請求項７】
前記スライドレールの固定レールは、サポート架台に連結され、前記サポート架台は支柱に取り付けられ、固定部は支柱の垂直辺であることを特徴とする請求項１に記載のスライドレールのロック及び解除装置。
【請求項８】
前記取付台は挿入溝を有し、可動レール前端の挿入片に嵌合されることを特徴とする請求項１に記載のスライドレールのロック及び解除装置。
【請求項９】
前記取付台内面と挿入片には相対する第一制止体と第二制止体とが設けられることを特徴とする請求項８に記載のスライドレールのロック及び解除装置。
【請求項１０】
前記取付台には挿入端が設けられ、前記挿入端は可動レール内面に延伸押圧されることを特徴とする請求項１記載のスライドレールのロック及び解除装置。
【考案の詳細な説明】
【技術分野】
【０００１】
本考案は、スライドレールのロック及び解除装置に関するものであり、ボタンを取付台に滑動できる状態で嵌合し、スライドレール上に結合し、工具なしでボタンを押せばすぐにスライドレールに固定された弾性制御部品を解除するものである。
【背景技術】
【０００２】
公知技術のスライドレールのロック及び解除装置は、早い時期に米国特許第５０３３８０５号によって公開されている。それはスライドレール前端に一つの嵌合部品を設けて引き出しレールと中間レールを制御するものであるが、その中間レールとチェストレールは相互に定位することはできない。米国特許第６３９８０４１  Ｂ１号に公開されたものは、引出し類の物件を支柱に取り付けたスライドレールに連結させ、引出し類の物件上の制御装置を支柱に定位させるものである。米国特許第６８８３８８４  Ｂ２号に公開されたものは、本案件の一部考案人が以前提出したスライドレールのロック設計であり、スライドレールの内レール前端にロック構造を設け、スライドレールを収納した場合、そのロック構造がスライドレールの固定部位に嵌合制止するものである。米国特許第６９２９３３６  Ｂ２号に公開されたものは、サーバーをスライドレールによって支柱に取り付け、サーバー前端にはネジ固定部品が設けてあり、サーバーを収納した後、ネジ固定部品が支柱上の金属板に固定されるものである。
また、上述の公知技術の設計から、スライドレール自身にロックがあるもの、もしくは引出しまたはサーバー等の物件をスライドレールで架台体や支柱に取り付けてから相互を固定するものに関わらず、ロック構造のそれぞれには、体積が過大、部品構造が比較的複雑、ロックとその解除操作が不便である等の問題が残っている。
【考案の開示】
【考案が解決しようとする課題】
【０００３】
解決しようとする問題点は、体積が過大、部品構造が比較的複雑、ロックとその解除操作が不便である点にある。
【課題を解決するための手段】
【０００４】
上記課題を解決するために、本考案は、スライドレールのロック及び解除装置を提案し、それによってスライドレール自身のロック問題を解決するものである。ボタンを取付台内に滑動できる状態で嵌合しスライドレールに結合し、且つスライドレールを固定する弾性制御部品を備えており、工具を使わずボタンを押すだけでその弾性制御部品を簡単に解除できることを特徴とする。
【０００５】
また、本考案が提供するスライドレールのロック及び解除装置は、弾性制御部品、ボタン及び取付台とにより構成されており、弾性制御部品は相対する第一端、第二端及び制御部とを備え、その第一端はスライドレールの可動レールに固定され、制御部はスライドレールの可動レールが延伸できないよう制御しており、ボタンには固定孔を設け、取付台は可動レール前端に固定され、ボタンを滑動状態で嵌合する為の嵌合室を設け、ボタンの固定孔には開口を設けているが、この開口を通過した弾性制御部品の第二端はボタンの固定孔に固定される。
【０００６】
前記制御部は突出耳朶形状であり、傾斜制止面と垂直制止面とを備えており、垂直制止面によって固定部を押圧制止する。
前記制御部は穴型である。
前記固定部は固定レール上の突出体である。
【０００７】
前記固定部は固定レール上の開孔である。
前記固定部はサポート架台の突出片であり、そのサポート架台はスライドレールの固定レールに連結する。
前記固定部は支柱の垂直辺である。
前記取付台は挿入溝を有し可動レール前端の挿入片に嵌合する。
前記取付台内面と挿入片には相対する第一制止体と第二制止体とを設ける。
前記取付台には挿入端を設け、その挿入端は可動レール内面に延伸押圧する。
【０００８】
公知技術と比較し、本考案では次の効果と長所を向上させている。
ａ．ロック及び解除が簡単、迅速、且つ操作は便利、安全、また工具不要である。
ｂ．部品が簡易で、組立てコストも安い。
ｃ．支柱、サポート架台、スライドレール間の固定に通用する。
【０００９】
（考案の効果）
以上説明したように、本考案のスライドレールのロック及び解除装置は、ロック及び解除が簡単で迅速、操作は便利で安全、工具は不要であり、部品が簡易である故、組立てコストも削減でき、支柱、サポート架台、スライドレール間の固定に通用することを特徴とする。
【考案を実施するための最良の形態】
【００１０】
図１、図２に本考案の具体的な実施例を示す。
ボタン２には固定孔２１を設ける。
図３に示すとおり、取付台３は可動レール４前端の挿入片４１を嵌入する挿入溝３１を備え、滑動するボタン２を嵌合する為の嵌合室３２を設けてあり、ボタン２の固定孔２１には開口３３を設け、弾性制御部品１の第二端１２はこの開口３３を通過してボタン２の固定孔２１に定位する。取付台３は別に二つの挿入端３４を設けて可動レール４内面に延伸押圧して相互に嵌合固定させるものであり、挿入溝３１内面と挿入片４１には相対する第一制止体と第二制止体を設けてある故、取付台３と可動レール４の挿入片４１が更に安定した連結となる。本実施例において、その第一制止体は挿入溝３１の側壁３５であり、第二制止体は挿入片４１上の一つの突出体４１１である。
【００１１】
図４に示す実施例において、固定部５はスライドレール固定レール６に設けた突出体６１であり、前記弾性制御部品１の制御部１３はやはり突出体６１を押圧制止する。図５に示すとおり、固定部５はスライドレール固定レール６上の開孔６２とすることも可能である。
【００１２】
図６に示す実施例において、弾性制御部品１ａの制御部１３ａは一つの穴型であり、それは相対する前記サポート架台７の突出片７１もしくは固定レール６の突出体６１に嵌合する。
図７に示す実施例において、スライドレールはサポート架台７に連結して支柱８に架設され、弾性制御部品１の制御部１３の垂直制止面１３２は支柱８の垂直辺８１を押圧制止させ、即ちその垂直辺８１は固定部５となる。
【００１３】
図８に示すとおり、可動レール４を引っ張り伸ばすと弾性制御部品１の解除となり、直接操作者は指で取付台３上のボタン２を押すと、押されたボタン２によって弾性制御部品１の制御部１３は固定部５から離脱し、取付台３を引っ張る力によって可動レール４を移動する。
【００１４】
図９に示す本実施例において、取付台３の第一制止体は挿入溝３１内面上の突出部３１１であり、可動レール４の挿入片４１の第二制止体は開孔４１２である。可動レール４の挿入片４１を取付台３に挿入した後、その開孔４１２と突出部３１１とが相互に嵌合固定する。
【図面の簡単な説明】
【００１５】
【図１】本考案の一実施例によるスライドレールのロック及び解除装置を示す分解斜視図である。
【図２】本考案の一実施例によるスライドレールのロック及び解除装置の組み立てを示す説明図である。
【図３】本考案の一実施例によるスライドレールのロック及び解除装置の取付台を別の角度から見た斜視図である。
【図４】本考案の一実施例によるスライドレールのロック及び解除装置の固定部を固定レールに設けた状態を示す斜視図である。
【図５】本考案の一実施例によるスライドレールのロック及び解除装置の固定部を固定レールに設けた状態を示す斜視図である。
【図６】本考案の一実施例によるスライドレールのロック及び解除装置の制御部を穿孔型状態とした斜視図である。
【図７】本考案の一実施例によるスライドレールのロック及び解除装置の制御部を支柱に嵌合制止させた状態を示す斜視図である。
【図８】本考案の一実施例によるスライドレールのロック及び解除装置の弾性制御部品の解除動作を示す断面図である。
【図９】本考案の一実施例によるスライドレールのロック及び解除装置の取付台と可動レールの挿入片を組合わせた実施例変化図である。
【符号の説明】
【００１６】
１：弾性制御部品、１１：第一端、１２：第二端、１３：制御部、１３１：傾斜制止面、１３２：垂直制止面、２：ボタン、２１：固定孔、３：取付台、３１：挿入溝、３１１：突出部、３２：嵌合室、３３：開口、３４：挿入端、３５：側壁、４：可動レール、４１：挿入片、４１１：突出体、４１２：開孔、５：固定部、６：固定レール、６１：突出体、６２：開孔、７：サポート架台、７１：突出片、８：支柱、８１：垂直辺、１ａ：弾性制御部品、１３ａ：制御部
【図１】
0003129302.tif 000003
【図２】
0003129302.tif 000004
【図３】
0003129302.tif 000005
【図４】
0003129302.tif 000006
【図５】
0003129302.tif 000007
【図６】
0003129302.tif 000008
【図７】
0003129302.tif 000009
【図８】
0003129302.tif 000010
【図９】
0003129302.tif 000011